(57)【要約】  【課題】放送番組の見落とした部分を簡単な操作で即座に視聴することができ、且つ放送番組全体を記録として残すことのできるハードディスクレコーダを提供する。  【解決手段】記録開始時（Ｔ１）から記録終了時（Ｔ４）まで、制御部は、放送番組をハードディスクの上面に番組ファイルＸとして記録する。時刻Ｔ２で視聴中断の指示がされると、制御部は、放送番組をハードディスクの下面に補助番組ファイルＹとしても記録する。このとき、番組ファイルＸと補助番組ファイルＹとの互いに対応するデータはハードディスクの同じシリンダに記録される。時刻Ｔ３で視聴再開の指示がされると、制御部は、補助番組ファイルＹの記録を終了し、補助番組ファイルＹの先頭から再生を開始する。そして、補助番組ファイルＹの再生が終了すると、制御部は、時刻Ｔ３に相当する位置から番組ファイルＸの再生を開始する。【選択図】  図２
2006065904.tif 000002
【特許請求の範囲】
【請求項１】
放送番組の映像および音声のデータをファイルとしてハードディスクに記録すると共に、当該ファイルのデータを再生するハードディスクレコーダにおいて、
前記ファイルの記録位置を記憶する記憶部と、
前記ファイルの記録および再生の動作を制御する制御手段と、
前記制御手段に対して所定の指示を与える指示手段と、を備え、
前記指示手段から記録開始の指示を受けると、前記制御手段は、前記ハードディスクの第１の面の第１ファイルへの放送番組の記録を開始し、
前記指示手段から視聴中断の指示を受けると、前記制御手段は、前記第１ファイルへの放送番組の記録を継続しつつ、前記ハードディスクの第２の面の第２ファイルへの放送番組の記録を開始すると共に、当該第２ファイルの記録開始位置を前記記憶部に記憶させ、
前記指示手段から視聴再開の指示を受けると、前記制御手段は、前記第１ファイルへの放送番組の記録を継続しつつ、前記第２ファイルへの放送番組の記録を終了すると共に、前記記憶部に記憶された記録開始位置から前記第２ファイルの再生を開始し、さらに前記視聴再開の指示を受けたときの前記第１ファイルの記録位置を前記記憶部に記憶させ、
前記第２ファイルの再生が終了すると、前記記憶部に記憶された記録位置から前記第１ファイルの再生を開始し、
前記指示手段から記録終了の指示を受けると、前記制御手段は、前記第１ファイルへの放送番組の記録を終了し、
前記第１および第２ファイルの互いに対応するデータはハードディスクの同じシリンダに記録され、前記第２ファイルは再生が終了すると削除されることを特徴とするハードディスクレコーダ。
【請求項２】
放送番組のデータをファイルとしてハードディスクに記録すると共に、当該ファイルのデータを再生するハードディスクレコーダにおいて、
前記ファイルの記録および再生の動作を制御する制御手段と、
前記制御手段に対して所定の指示を与える指示手段と、を備え、
前記指示手段から記録開始の指示を受けると、前記制御手段は、前記ハードディスクの第１の面の第１ファイルへの放送番組の記録を開始し、
前記指示手段から視聴中断の指示を受けると、前記制御手段は、前記第１ファイルへの放送番組の記録を継続しつつ、前記ハードディスクの第２の面の第２ファイルへの放送番組の記録を開始し、
前記指示手段から視聴再開の指示を受けると、前記制御手段は、前記第１ファイルへの放送番組の記録を継続しつつ、前記第２ファイルへの放送番組の記録を終了すると共に、前記第２ファイルの先頭から再生を開始し、
前記第２ファイルの再生が終了すると、前記制御手段は、前記視聴再開の指示を受けたときの前記第１ファイルの記録位置から前記第１ファイルの再生を開始し、
前記指示手段から記録終了の指示を受けると、前記制御手段は、前記第１ファイルへの放送番組の記録を終了し、
前記第１および第２ファイルの互いに対応するデータはハードディスクの同じシリンダに記録されることを特徴とするハードディスクレコーダ。
【発明の詳細な説明】
【技術分野】
【０００１】
本発明は、放送番組の映像や音声のデータをハードディスクに記録し、記録されたデータを再生するハードディスクレコーダに関する。
【背景技術】
【０００２】
ハードディスクレコーダは、大きな記録容量のハードディスクドライブを備え、ＤＶＤ−ＲＷなどの記録媒体を交換しなくても長時間分の放送番組の映像および音声のデータを記録できることから、多くのユーザに使用されている。また、ユーザが放送番組をテレビで視聴しつつ、放送番組をハードディスクレコーダに記録することがある。このような状況で、何かの用事で席を外すと、放送番組の一部を見落としてしまう。このような場合、ユーザは、殆どのハードディスクレコーダが具備する追っかけ再生機能を用い、早送り（スキップ）操作をすることで見落とした部分を探し、見落とした部分から追っかけ再生により放送番組を引き続き視聴する。
【０００３】
特許文献１、２には、放送番組の見落とした部分の見直しを可能とするテレビが示されている。このテレビは、放送番組を一時的に記録するメモリを備える。そして、記録指示が行われると放送番組をメモリへ記録し、再生指示が行われるとメモリの先頭から記録された内容を順番に取り出し、テレビ画面に出力すると共に、放送番組をメモリへ引き続き記録していく。ユーザが席を外すときに記録指示を行い、戻ったときに再生指示を行うことで、放送番組の見落とした部分の見直しをすることができる。また、特許文献３には、ビデオ記録再生システムで上記内容と同様のことを実現することが示されている。
【０００４】
特許文献４に示される装置は、放送番組を定常的にハードディスクのタイムシフトデータファイルに順次記録し、タイムシフトデータファイル内の所定時間だけ以前に記録されたデータを再生することによって、放送番組の見落とし部分を視聴できるようにしている。さらに、この装置は、当該放送番組を記録として残す旨の指示があると、その時点以降の放送番組を記録データファイルとしてハードディスクに記録すると共に、それ以前の放送番組が記録されているタイムシフトデータファイルを記録データファイルに変換し、両記録データファイルを連続的に検索できるようにする。
【０００５】
特許文献５に示される装置は、表示中断コマンド（上記の記録指示に相当する）により、第１の記録媒体への時間逐次信号（テレビ放送の信号に相当する）の記録を開始し、表示再開コマンド（上記の再生指示に相当する）により、第１記録媒体への記録を終了して第１記録媒体に記録された内容の再生を開始すると共に、第２の記録媒体への時間逐次信号の記録を開始する。この装置でも、ユーザが席を外すときに表示中断コマンドを発行し、戻ったときに表示再開コマンドを発行することで、放送番組の見落とした部分の見直しをすることができる。上記の第１、第２記録媒体としては、磁気記録媒体や電子記録回路などが用いられる。また、磁気ディスクの上面を第１記録媒体、下面を第２記録媒体とすることも示されている。
【特許文献１】特開平７−３３６２５３号公報（段落０００１〜００１７）
【特許文献２】特開平９−６５２２５号公報（段落０００１〜０１０７）
【特許文献３】特表２００１−５２７３４６号公報（段落００２８〜００３０、手続補正後の請求項７）
【特許文献４】特開２００２−３５４４２３号公報（要約、請求項１〜２、段落０００１〜００１４）
【特許文献５】特表２０００−５１３９１５号公報（請求項１〜３、請求項１３、第５０ページ第１５行〜第２７行）
【発明の開示】
【発明が解決しようとする課題】
【０００６】
しかしながら、追っかけ再生機能を用いる上記従来のものにおいては、早送り操作などで見落とした部分を探さなければならず、ユーザにとっては操作が煩わしいという問題がある。特許文献１，２に示されるテレビでは、放送番組を記録（ファイル）として残すことができないという問題がある。特許文献３〜５に示される装置では、記録指示以降については放送番組を記録として残すことができるが、記録指示が行われる前の部分については放送番組全体を記録として残すことができないという問題がある。さらに、特許文献５に示される装置では、記録指示の前後で放送番組が別々の記録媒体に記録されるので、当該放送番組を１つのファイルとして残すためには、２つの記録媒体に記録されたデータの編集作業をしなければならず、一般大衆が使用するハードディスクレコーダでは使い勝手が悪いという問題がある。
【０００７】
本発明は、上記問題点を解決するものであって、その課題とするところは、放送番組の見落とした部分を簡単な操作で即座に視聴することができ、且つ放送番組全体を記録として残すことのできるハードディスクレコーダを提供することにある。
【課題を解決するための手段】
【０００８】
本発明では、放送番組のデータをファイルとしてハードディスクに記録すると共に、当該ファイルのデータを再生するハードディスクレコーダにおいて、ファイルの記録および再生の動作を制御する制御手段と、制御手段に対して所定の指示を与える指示手段と、を備える。そして、制御手段は以下のように動作する。指示手段から記録開始の指示を受けると、制御手段は、ハードディスクの第１の面の第１ファイルへの放送番組の記録を開始する。指示手段から視聴中断の指示を受けると、制御手段は、第１ファイルへの放送番組の記録を継続しつつ、ハードディスクの第２の面の第２ファイルへの放送番組の記録を開始する。指示手段から視聴再開の指示を受けると、制御手段は、第１ファイルへの放送番組の記録を継続しつつ、第２ファイルへの放送番組の記録を終了すると共に、第２ファイルの先頭から再生を開始する。第２ファイルの再生が終了すると、制御手段は、視聴再開の指示を受けたときの第１ファイルの記録位置から第１ファイルの再生を開始する。指示手段から記録終了の指示を受けると、制御手段は、第１ファイルへの放送番組の記録を終了する。ここで、第１および第２ファイルの互いに対応するデータはハードディスクの同じシリンダに記録される。
【０００９】
また、ハードディスクの第１および第２の面は、例えば、ハードディスクを構成する１つのディスクの上面および下面や、ハードディスクを構成する第１のディスクの上面および第２のディスクの上面である。指示手段には実施形態に示すリモコンが相当し、制御手段には主に実施形態に示す制御部が相当する。第１および第２ファイルには、それぞれ実施形態に示す番組ファイルおよび補助番組ファイルが相当する。
【００１０】
上記のように、視聴中断の指示があると放送番組の第２ファイルへの記録が開始され、視聴再開の指示があると第２ファイルの先頭から再生が開始されるので、ユーザは放送番組の見落とした部分を簡単な操作で即座に視聴することができる。また、記録開始の指示がされたときから記録終了の指示がされるまで放送番組が第１ファイルに継続して記録されるので、特別な編集作業などをしなくても、放送番組全体を記録として残すことができる。さらに、第１および第２ファイルの互いに対応するデータはハードディスクの同じシリンダに記録されるので、互いに対応するデータを両ファイルに記録するときにシーク動作が不要となり、第１および第２ファイルへ記録するデータを格納する記録バッファを共用すること、または第１ファイルへ記録するデータを格納する記録バッファと第２ファイルへ記録するデータを格納する記憶容量の小さい記録バッファとを併用することが可能となる。これにより、第１および第２ファイルごとに記録バッファを設けることなく、すなわちハードディスクレコーダの回路部品を大きく増加させることなく、第１および第２ファイルへの放送番組の記録を並行して行うことができる。
【００１１】
本発明の実施形態においては、放送番組のデータは映像および音声のデータである。また、制御手段は、第２ファイルへの放送番組の記録を開始するときに、第２ファイルの記録開始位置をメモリなどの記憶部に記憶させ、第２ファイルの再生を開始するときに、記憶部に記憶させた記録開始位置から再生を開始する。さらに、制御手段は、視聴再開の指示を受けたときの第１ファイルの記録位置を上記記憶部に記憶させ、第２ファイルの再生が終了して第１ファイルの再生を開始するときに、記憶部に記憶させた記録位置から第１ファイルの再生を開始する。このようにすることで、ハードディスクの管理領域に記録されているファイルの管理情報などを調べなくとも、制御手段は、第１および第２ファイルの上記の再生開始位置を得ることができる。さらに、第２ファイルの再生が終了すると第２ファイルを削除するので、記録として残す必要のない第２ファイルがハードディスクに残るのを防止することができる。
【発明の効果】
【００１２】
本発明によれば、放送番組の見落とした部分を簡単な操作で即座に視聴することができ、且つ放送番組全体を記録として残すことができる。
【発明を実施するための最良の形態】
【００１３】
図１は、本発明に係るハードディスクレコーダ（以下、装置という）の構成を示すブロック図である。以下、図面を参照して装置の構成を説明する。この装置はハードディスク１１ａに対してテレビ放送の映像信号および音声信号（以下では、両者を合わせて放送信号という）の記録および再生を行う。別の表現をすれば、ハードディスク１１ａに対してテレビ放送の映像および音声のデータの記録および再生を行う。装置の筐体１０の内部には、チューナ１５などを実装した不図示のプリント基板やＨＤＤ（ハードディスクドライブ）１１などが収納されている。
【００１４】
ＨＤＤ１１は、ハードディスク１１ａ、記録再生ヘッド１１ｂ、１１ｃ、記録再生部１１ｄ、ＨＤＤ制御部１１ｅなどから構成され、ＡＴＡ準拠のインタフェイスによって装置の他の部分に接続されている。ハードディスク１１ａを回転させる回転駆動部や、記録再生ヘッド１１ｂ、１１ｃをハードディスク１１ａの半径方向で移動させる記録再生ヘッド駆動部などの図示は省略されている。記録再生部１１ｄは、ハードディスク１１ａに書き込む信号の変調や、ハードディスク１１ａから読み出された信号の復調などの信号処理を行う。ＨＤＤ制御部１１ｅは、記録再生部１１ｄ、回転駆動部、記録再生ヘッド駆動部などを制御する。尚、図１ではハードディスク１１ａのディスクは１枚であるが、複数枚であってもよい。また、記録再生ヘッド１１ｂおよび１１ｃは、シーク動作時には一体的に移動し、読み書き動作時にはハードディスク１１ａの同じシリンダの上面および下面のトラックにアクセスする。
【００１５】
まず、放送信号の記録系について説明する。アンテナ３１で受信された放送信号は、チューナ１５で選局され、さらにＡ／Ｄ変換器１４でデジタル信号に変換された後に、符号化回路１３で、例えばＭＰＥＧ−２方式により圧縮符号化される。圧縮符号化された放送信号は、一旦記録バッファ１２に格納された後、記録再生部１１ｄで変調され、記録再生ヘッド１１ｂまたは１１ｃによってハードディスク１１ａの上面または下面のデータ記録領域に番組ファイルとして順次記録される。放送信号の記録が終了すると、ＨＤＤ制御部１１ｅは、後述の制御部２０からの指示に従って、記録された番組ファイルの管理情報をハードディスク１１ａの管理領域に記録するように記録再生部１１ｄに指示する。
【００１６】
次に、放送信号の再生系について説明する。記録再生ヘッド１１ｂまたは１１ｃによって読み出された、ハードディスク１１ａの上面または下面に記録された番組ファイルのデータ、すなわち放送信号は、記録再生部１１ｄで復調され、一旦再生バッファ１６に格納された後に復号化回路１７で復号される。この復号された放送信号に対して、制御部２０から出力されるＯＳＤ（オンスクリーンディスプレイ）用のデータがＯＳＤ処理回路１８で重畳される。ＯＳＤ処理回路１８の出力信号は、Ｄ／Ａ変換器１９でアナログ信号に変換され、接続ケーブル３３によってテレビ３２に送られ、テレビ３２からテレビ放送の映像および音声が出力される。尚、上述のＡ／Ｄ変換や圧縮符号化などは、実際には放送の映像信号および音声信号に対して別々に行われるが、本発明の直接的事項ではないので、上述のＡ／Ｄ変換や圧縮符号化などについては簡略化して記載している。
【００１７】
制御部２０は、ＣＰＵ２０ａ、メモリ２０ｂ（例えば、ＲＯＭ、ＲＡＭおよびフラッシュメモリ）などから構成され、ＣＰＵ２０ａがメモリ２０ｂに格納されたプログラムを実行することによって、チューナ１５などの装置の各部を制御する。メモリ２０ｂには上述のＯＳＤ用のデータや各種の制御データなどが格納されている。リモコン２１は多数の操作キーを備えており、操作キーが押されると当該操作キーの信号を制御部２０に送信する。そして、制御部２０は、装置の各部を制御することにより、押された操作キーに応じた処理、例えば放送信号を番組ファイルとしてハードディスク１１ａへ記録する処理を実行する。つまり、リモコン２１は制御部２０に対して所定の指示を与える。
【００１８】
図２は、リモコン２１からの指示とハードディスク１１ａに記録される番組ファイルおよび補助番組ファイルとの関係を時系列的に示す図である。以下、図面を参照して本発明の動作について説明する。まず、記録する放送番組の開始時刻Ｔ１でリモコン２１が操作され、当該操作が記録開始の指示であると制御部２０が判断すると、制御部２０は、装置の各部を制御することによって、放送番組の記録を開始する。放送番組のデータは、番組ファイルＸとして記録再生ヘッド１１ｂによってハードディスク１１ａの上面に記録される。
【００１９】
ユーザが席を外すとき（時刻Ｔ２）にリモコン２１が操作され、当該操作が視聴中断の指示であると制御部２０が判断すると、制御部２０は、番組ファイルＸに対する放送番組の記録を継続しつつ、補助番組ファイルＹに対しても放送番組の記録を開始する。補助番組ファイルＹのデータは、記録再生ヘッド１１ｃによってハードディスク１１ａの下面に記録される。ここで、番組ファイルＸおよび補助番組ファイルＹの互いに対応するデータは、それぞれハードディスク１１ａの同じ（共通の）シリンダの上面のトラックおよび下面のトラックに並行して記録される。上記のようにすることで、番組ファイルＸを記録した後に補助番組ファイルＹを記録するときにシーク動作が不要となり、１つの記録バッファ１２を用いるだけで、放送番組のデータを途切れなくハードディスク１１ａの上面および下面に記録することができる。さらに、補助番組ファイルＹの記録を開始するときに、補助番組ファイルＹの再生に備えて、制御部２０は、メモリ２０ｂに領域が確保された中断再開変数に補助番組ファイルＹの先頭位置Ｐ１の情報を保存する。
【００２０】
尚、記録バッファ１２はＦＩＦＯメモリで構成されるが、このＦＩＦＯメモリは、最初に番組ファイルＸを記録するときには格納されている記録データがＦＩＦＯメモリをシフトアウトしつつ巡回するように動作し、次に補助番組ファイルＹの記録をするときには記録データがＦＩＦＯメモリからシフトアウトされるように動作する。上記の方式に代えて、番組ファイルＸ用に記録バッファ１２を用い、補助番組ファイルＹ用に別の小さな記憶容量の記録バッファを設けるようにしてもよい。一方、番組ファイルＸと補助番組ファイルＹとが同じシリンダの上面および下面のトラックに記録されないとすると、両ファイルに並行して記録を行うときにシーク動作が発生するので、番組ファイルＸ用の記録バッファ（記録バッファ１２と同じ記憶容量のもの）と補助番組ファイルＹ用の記録バッファ（記録バッファ１２と同じ記憶容量のもの）とを別々に設けなければならないので、回路部品の数が大きく増加する。
【００２１】
ユーザが席に戻ったとき（時刻Ｔ３）にリモコン２１が操作され、当該操作が視聴再開の指示であると制御部２０が判断すると、制御部２０は、番組ファイルＸの記録は継続しつつ、補助番組ファイルＹの記録を終了する。さらに、制御部２０は、上記の中断再開変数に保存されている補助番組ファイルＹの先頭位置Ｐ１から補助番組ファイルＹの再生を開始するので、ユーザは放送番組の見落とした部分の最初の箇所、すなわち時刻Ｔ２の放送番組を即座に視聴することができる。さらに、制御部２０は、時刻Ｔ３における番組ファイルＸの記録位置Ｐ２の情報を上記の中断再開変数に保存する。補助番組ファイルＹが再生されているときは、ユーザは放送番組の見落とした部分、すなわち時刻Ｔ２〜Ｔ３の放送番組を視聴することができる。この間は、早送り操作、早戻し操作などもリモコン２１で行うことができる。
【００２２】
再生中の補助番組ファイルＹの最後のデータが読み出されたことが検出されると、制御部２０は、中断再開変数に保存されている番組ファイルＸ中の位置Ｐ２から番組ファイルＸの再生を開始する。また、この時点で補助番組ファイルＹは不要となるので、制御部２０は、所定のＡＴＡ準拠のコマンドをＨＤＤ制御部１１ｅに送ることにより、補助番組ファイルＹを削除する。上記コマンドを受けたＨＤＤ制御部１１ｅは、ハードディスク１１ａの管理領域に記録されている補助番組ファイルＹの管理情報を消去する。尚、補助番組ファイルＹの削除は、ここで行わずに、番組ファイルＸの記録が終了したときに行うようにしてもよい。
【００２３】
記録する放送番組の終了時刻Ｔ４でリモコン２１が操作され、当該操作が記録終了の指示であると制御部２０が判断すると、制御部２０は番組ファイルＸの記録を終了する。この時点で補助番組ファイルＹが再生中でなければ、制御部２０は補助番組ファイルＹを削除する。補助番組ファイルＹが再生中であれば、制御部２０は補助番組ファイルＹの再生が終了した後に補助番組ファイルＹを削除する。尚、番組ファイルＸをハードディスク１１ａの上面に記録しきれない場合は、続きの部分は下面の空き領域に記録される。このような状況になった後に上記の視聴中断の指示がされた場合は、補助番組ファイルＹの記録は行われない。
【００２４】
以上述べた実施形態においては、番組ファイルＸをハードディスク１１ａの上面に記録し、補助番組ファイルＹを下面に記録するようにしたが、番組ファイルＸを下面に記録し、補助番組ファイルＹを上面に記録するようにしてもよい。また、２枚のディスクを備えたハードディスクでは、第１のディスクの上面（または下面）に番組ファイルＸを記録し、第２のディスクの上面（または下面）に補助番組ファイルＹを記録するようにしてもよい。
【００２５】
また、上記実施形態では、放送番組の映像および音声のデータはハードディスク１１ａにのみ記録されたが、ＤＶＤ−ＲＷなどの光ディスクにも記録できる機能を併せ持つハードディスクレコーダでも本発明を実施することができる。さらに、上記実施形態では、放送がテレビ放送である場合について説明したが、ラジオ放送である場合でも本発明を実施することができる。
【図面の簡単な説明】
【００２６】
【図１】ハードディスクレコーダの構成を示すブロック図である。
【図２】リモコンからの指示とハードディスクに記録される番組ファイルおよび補助番組ファイルとの関係を時系列的に示す図である。
【符号の説明】
【００２７】
１１  ＨＤＤ（ハードディスクドライブ）
１１ａ  ハードディスク
１１ｂ、１１ｃ  記録再生ヘッド
１１ｄ  記録再生部
１１ｅ  ＨＤＤ制御部
２０  制御部
２０ａ  ＣＰＵ
２０ｂ  メモリ
２１  リモコン
【図１】
2006065904.tif 000003
【図２】
2006065904.tif 000004